(57)【要約】【課題】引き紐の結び目を取付片に係止させた構造において、引き紐解除力を安定させた引き紐付き押釦を提供する。【解決手段】押し操作することでプッシュスイッチ７を押圧する押釦本体１と、押釦本体１に延設した取付片２と、この取付片２に取り付けられ引き操作することで押釦本体１を前記押圧方向に引っ張ってプッシュスイッチ７を押圧する引き紐５とを備えた引き紐付き押釦Ａであって、取付片２には引き紐５を通す円形の貫通孔３を設けており、引き紐５に設けた結び目６を前記貫通孔３の周縁で係止するようになしている。【選択図】図１
2009224170.tif 000002
【特許請求の範囲】
【請求項１】
押し操作することでプッシュスイッチを押圧する押釦本体と、押釦本体に延設した取付片と、この取付片に取り付けられ引き操作することで押釦本体を前記押圧方向に引っ張ってプッシュスイッチを押圧する引き紐とを備えた引き紐付き押釦であって、
取付片には引き紐を通す円形の貫通孔を設けており、引き紐に設けた結び目を前記貫通孔の周縁で係止するようになした引き紐付き押釦。
【請求項２】
取付片の前記貫通孔は、前記押圧方向とは異なる方向に開口したことを特徴とする請求項１記載の引き紐付押釦。
【請求項３】
押し操作することでプッシュスイッチを押圧する押釦本体と、押釦本体に延設した取付片と、この取付片に取り付けられ引き操作することで押釦本体を前記押圧方向に引っ張ってプッシュスイッチを押圧する引き紐とを備えた引き紐付き押釦であって、
取付片は引き紐を通す貫通孔からなり、引き紐に設けた結び目を前記貫通孔の周縁で係止するものであり、
取付片の前記貫通孔は、前記押圧方向とは異なる方向に開口したことを特徴とする引き紐付押釦。
【発明の詳細な説明】
【技術分野】
【０００１】
本願発明は、押し操作および引き紐を引き操作することでプッシュスイッチを押圧する引き紐付き押釦に関する。
【背景技術】
【０００２】
従来から、引き紐付き押釦は、例えば特許文献１に示すように火災警報器の警報停止等の操作を行う釦として使用されている。この引き紐付き押釦は、図５（ａ）に示すように、押釦本体１に取付片２が延設され、取付片２の先端には四角形状に貫通し上方向に開口した切欠部１０が設けられている。そして、図５（ｂ）に示すようにこの切欠部１０に引き紐５が通され、切欠部１０の周縁において引き紐５の結び目６が係止される。
【０００３】
したがって、この引き紐付き押釦は、押釦本体１を押し操作するか、または、引き紐５を引くことによって、押釦本体１により押釦本体１の内側に設けられたプッシュスイッチが押圧され、火災警報器に対して種々の操作を行うことができる。このように、押釦に引き紐５を付ける構造とすることで、部品点数の増加を抑えて押し操作および引き操作の二つの操作が可能になるものである。
【特許文献１】特開２００６−２４４４０８号公報
【発明の開示】
【発明が解決しようとする課題】
【０００４】
ところで、前記した引き紐付き押釦は、所定の引張応力以上の力で引き紐を引くと、引き紐が取付片から外れるようになっている。これは、必要以上の力で引き紐が引っ張られることで、引き紐付き押釦が取り付けられた火災警報器が天井や壁から外れるのを防ぐものである。ここで、引き紐の外れ方としては、引き紐の結び目が収縮することで切欠部１０の貫通する方向に抜け出す場合と、引き紐の結び目が切欠部の開口から抜け出す場合とあるが、いずれにしても、引き紐が外れる引張応力（引紐解除力）は、ばらつきが少なく安定していることが望まれている。
【０００５】
しかし、引き紐の結び目形状はばらつきが多く左右対称にはならないため、引き紐が回転することで切欠部周縁での結び目の係り具合が変化して、結び目の位置によって引紐解除力が変化して安定しないという問題があった。これを解決するために引き紐に結び目を作らずビーズ等の形状が均一のものを取り付けることで、引き紐解除力を安定させることもできるが、この場合は、部品点数の増加を伴うものである。
【０００６】
本願発明は、係る課題を解決するためになしたものであり、その目的は、引き紐の結び目を取付片に係止させた構造において、引き紐解除力を安定させた引き紐付き押釦を提供するものである。
【課題を解決するための手段】
【０００７】
請求項１に係る発明の引き紐付き押釦は、押し操作することでプッシュスイッチを押圧する押釦本体と、押釦本体に延設した取付片と、この取付片に取り付けられ引き操作することで押釦本体を前記押圧方向に引っ張ってプッシュスイッチを押圧する引き紐とを備えた引き紐付き押釦であって、取付片には引き紐を通す円形の貫通孔を設けており、引き紐に設けた結び目を前記貫通孔の周縁で係止するようになしている。
【０００８】
請求項２に係る発明の引き紐付き押釦は、請求項１記載の引き紐付き押釦において、取付片の前記貫通孔は、前記押圧方向とは異なる方向に開口したことを特徴としている。
【０００９】
請求項３に係る発明の引き紐付き押釦は、押し操作することでプッシュスイッチを押圧する押釦本体と、押釦本体に延設した取付片と、この取付片に取り付けられ引き操作することで押釦本体を前記押圧方向に引っ張ってプッシュスイッチを押圧する引き紐とを備えた引き紐付き押釦であって、取付片は引き紐を通す貫通孔からなり、引き紐に設けた結び目を前記貫通孔の周縁で係止するものであり、取付片の前記貫通孔は、前記押圧方向とは異なる方向に開口したことを特徴としている。
【発明の効果】
【００１０】
請求項１に係る発明の引き紐付き押釦によれば、取付片に円形の貫通孔を設けたため、結び目が回転しても貫通孔周縁での結び目の係り具合に変化がなくなるため、引き紐解除力を安定させることができる。
【００１１】
請求項２および３に係る発明の引き紐付き押釦によれば、貫通孔の開口を押圧方向とは異なる方向に設けたので、引き紐の結び目が貫通孔の開口から抜け出すことを防止することで引き紐解除力を安定させることができる。
【発明を実施するための最良の形態】
【００１２】
以下に、本願発明の第一の実施形態である引き紐付き押釦Ａについて、図１〜３を参照しながら説明する。このものは、押し操作することでプッシュスイッチ７を押圧する押釦本体１と、押釦本体１に延設した取付片２と、この取付片２に取り付けられ引き操作することで押釦本体１を前記押圧方向に引っ張ってプッシュスイッチ７を押圧する引き紐５とを備えた引き紐付き押釦Ａであって、取付片２には引き紐５を通す円形の貫通孔３を設けており、引き紐５に設けた結び目６を前記貫通孔３の周縁で係止するようになしている。
【００１３】
以下、この引き紐付き押釦Ａについて、具体的詳細に説明する。図１、２に示すように、この引き紐付き押釦Ａは押釦本体１が火災警報器の外表面に露出して取り付けられ、押釦本体１を押圧するかまたは、引き紐５を引っ張ることで火災警報器に対して、火災警報停止や機能試験等の種々の操作を行うものである。
【００１４】
図１、３にはそれぞれ別の方向から見た引き紐付き押釦Ａの斜視図を示している。引き紐付き押釦Ａは、板状の基台から円柱の突起部が設けられた押釦本体１と、前記板状の基台の一端から延設された取付片２と、取付片２に取り付けられる引き紐５からなる。取付片２の先端付近には、取付片２の表裏に貫通する円形の貫通孔３が設けられ、この貫通孔３は取付片２の先端方向に開口している。引き紐５は、この開口４から挿入することで貫通孔３に通して、図３（ｂ）に示すように、引き紐５に設けた結び目６が貫通孔３の周縁で係止される。
【００１５】
次に、火災警報器の構成について図１を用いて簡単に説明する。この火災警報器は、天井にネジ取付されるベースＢと、ベースＢの下方に載置される回路基板８と、回路基板８から延設された火災検知部９およびプッシュスイッチ７と、挿入口Ｃ１から火災検知部９を露出させた状態でベースＢに取り付けられる外郭部材Ｃと、引き紐付き押釦Ａとからなる。引き紐付き押釦Ａはプッシュスイッチ７に被せるように載置され、外郭部材Ｃの釦孔Ｃ２から押釦本体１が露出した状態で取り付けられる。そして、火災警報器は、火災検知部９が煙や熱といった火災因子を検知することで、スピーカ（不図示）から火災警報を出力するものである。
【００１６】
図２は、火災警報器が天井に取り付けられた状態においての断面図を示している。図２において、複数の水平線が付された部分が引き紐付き押釦Ａであり、複数の鉛直線が付された部分がプッシュスイッチ７であり、複数の斜線が付された部分が引き紐５である。ここで、押し釦本体を直接押し操作した場合は、押釦本体１の上側に近接して設けられたプッシュスイッチ７が押圧される。一方、引き紐５を引張った場合には、押釦本体１が上方に引っ張られることによって、押し操作した場合と同様に、プッシュスイッチ７が押圧される。
【００１７】
このようにして、押し操作および引き操作のどちらの操作によってもプッシュスイッチ７を押圧することができるので、天井に設けられた火災警報器の押釦を直接押し操作することが難しい場合は引き紐５で操作を行い、逆に、美観を損ねる引き紐５を外してしまった場合には、直接押釦を押し操作するというように、ユーザーの要望に応じた操作手段とすることができる。
【００１８】
ところで、引き紐５を所定の引っ張り応力（引紐解除力）以上の力で引っ張った場合には、上記課題において説明したように、引き紐５が取付片２から外れるようになっている。引紐解除力は、引き紐５の結び目６の貫通孔３周縁に対する係り具合によって、変化するものであるが、この引き紐付き押釦Ａにおいては、円形の貫通孔３であるため、結び目６が回転しても貫通孔３周縁に対する係り具合に変化がなく引紐解除力を安定させることができる。これは、結び目６の代わりにビーズ等の形状が均一のものを取り付ける場合に比べて、部品点数の増加を伴うことなく引き紐５解除力を安定させることができる。
【００１９】
図４は、本願発明の第二の実施形態である引き紐付き押釦Ａを示している。なお、ここでは、上記第一の実施形態と相違する事項についてのみ説明し、その他の事項（構成、作用効果等）については、上記第一の実施形態と同様であるのでその説明を省略する。この引き紐付き押釦Ａは、取付片２の貫通孔３が、押圧方向とは異なる方向に開口したものである。
【００２０】
具体的には、第一実施形態では、図３（ａ）に示すように、取付片２の貫通孔３に設けられた開口４は、引き紐５の操作により押釦本体１が引っ張られる方向（押圧方向）と同じ方向に開口している。一方、本実施形態では、図４に示すように、取付片２の貫通孔３に設けられた開口４は、前記押圧方向とは異なる側方に向かって開口している。
【００２１】
これらの開口４は、結び目６を設けた引き紐５を貫通孔３に通すために必要なものであるが、第一実施形態では、押圧方向と同じ方向、つまり引き紐５が取付片２を引っ張る方向と同じ方向に開口しているため、引き紐５が開口４から抜け出す場合がある。これに対して、第二実施形態では、押圧方向とは異なる方向、つまり引き紐５が取付片２を引っ張る方向とは異なる方向に開口しているため、引き紐５が開口４から抜け出すことを防止することができ、引紐解除力がより安定するものである。
【００２２】
なお、上記二つの実施形態では説明していないが、別の実施形態として、貫通孔３を円形にしなくても、貫通孔３に設けられる開口４を押圧方向とは異なる方向に開口させるだけでもよい。この場合は、引き紐５が貫通孔３から抜け出すことを防止できるため、引紐解除力を安定させることができる。
【００２３】
更に別の実施形態として、開口のない円形の貫通孔３としてもよい。この場合は、結び目６が回転しても貫通孔３周縁に対する係り具合に変化がなく引紐解除力を安定させることができる。ただし、開口が設けられていないため、引き紐５を貫通孔３に通した後に結び目６をつける必要がある。
【００２４】
なお、上記実施形態においては、本願発明の引き紐付き押釦が火災警報器に取り付けられたものを示しているが、取り付けられる機器としては、押し操作及び引き操作により操作する機器であればよく、火災警報器に限定されるものではない。
【図面の簡単な説明】
【００２５】
【図１】本願発明に係る第１実施形態の引き紐付き押釦が取り付けられた火災警報器を示す分解斜視図。
【図２】同実施形態の引き紐付き押釦が取り付けられた火災警報器を示す断面図。
【図３】同実施形態の（ａ）引き紐付き押釦を示す斜視図、（ｂ）取付片に引き紐が取り付けられた状態を示す斜視図。
【図４】本願発明に係る第２実施形態の引き紐付き押釦を示す斜視図
【図５】従来例である（ａ）引き紐付き押釦を示す斜視図、（ｂ）取付片に引き紐が取り付けられた状態を示す斜視図。
【符号の説明】
【００２６】
Ａ  引き紐付き押釦
１  押釦本体
２  取付片
３  貫通孔
４  開口
５  引き紐
６  結び目
７  プッシュスイッチ
【図１】
2009224170.tif 000003
【図２】
2009224170.tif 000004
【図３】
2009224170.tif 000005
【図４】
2009224170.tif 000006
【図５】
2009224170.tif 000007